(57)【要約】【課題】ランプが耐用寿命に達したと誤解されずに確実に耐用寿命に達したことを使用者に告知する。【解決手段】制御部９は、照明器具が耐用寿命に達したか否かを判別する寿命判別手段に相当し、例えば、商用交流電源ＡＣに接続された時点からの経過時間を内蔵したタイマでカウントすることで耐用寿命経過の判別を行い、さらに、ＬＣＤ駆動部８を制御してＬＣＤパネル７に経過時間を表示させるとともに、経過時間が予め設定されている耐用寿命時間に達したらその旨を報知するための文字や記号等をＬＣＤパネル７に表示させる。よって、蛍光ランプＬＡの光を使わずにＬＣＤパネル７に表示して耐用寿命に達したことを使用者に告知しているので、蛍光ランプＬＡが耐用寿命に達したと誤解されずに照明器具が耐用寿命に達したことを確実に使用者に告知することができる。【選択図】        図１
2006236713.tif 000002
【特許請求の範囲】
【請求項１】
光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を告知する寿命告知手段とを備え、該寿命告知手段は、器具本体又は光制御部材に判別結果情報を表示することを特徴とする照明器具。
【請求項２】
前記寿命告知手段は、ランプソケットに装着されるランプ以外の光源が発する光によって判別結果情報を表示することを特徴とする請求項１記載の照明器具。
【請求項３】
前記寿命判別手段は、器具本体又は光制御部材に設けられ形状や特性が経時変化する寿命判別部材からなることを特徴とする請求項１又は２記載の照明器具。
【請求項４】
光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を告知する寿命告知手段とを備え、該寿命告知手段は、通常の使用時又はランプ交換時に使用者が目にする部分に設けられ、紫外線や熱によって形状や特性が経時変化する部材からなることを特徴とする照明器具。
【請求項５】
光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を音又は臭いで告知する寿命告知手段とを備えたことを特徴とする照明器具。 
【発明の詳細な説明】
【技術分野】
【０００１】
本発明は、照明器具に関するものである。
【背景技術】
【０００２】
一般の照明器具は、通常、光源たるランプ（蛍光灯などの放電灯や白熱灯）が装着されるランプソケットと、外部の電源（例えば、商用交流電源）からランプソケットを介してランプに供給する電力を調整してランプを安定点灯させる安定器と、ランプソケット並びに安定器を支持する器具本体と、反射や拡散あるいは屈折等によりランプの光を制御する光制御部材（反射板やグローブなど）とで構成されている。ここで、ランプについては、不点灯や始動性あるいは光量の低下といった明白な現象により、使用者が経年劣化（寿命末期）を容易に知ることができて交換されることになる。一方、照明器具についても耐用寿命が存在し、金属部品の疲労や酸化、合成樹脂成形品の劣化、変色、破損、あるいは安定器を構成する部品の劣化、絶縁抵抗の低下等の現象として現れる。しかしながら、ランプが正常に点灯している場合、一般的に使用者は照明器具の耐用寿命に気付かずに使用し続けることが多く、照明器具が耐用寿命を超えて使用された場合には本来の適正な性能が得られないという問題がある。
【０００３】
ところで、蛍光灯用の電子安定器（放電灯点灯装置）については、その累積動作時間を計時することでコンデンサやトランジスタといった電子部品の経年劣化を予測し、累積動作時間が予め決められた時間に達した時点で使用者に報知することで電子部品の耐用寿命による故障を未然に防止しようとするものが既に提案されている（例えば、特許文献１又は特許文献２参照）。
【特許文献１】特開２００４−２５９５３３号公報
【特許文献２】特開２００１−１８５３７４号公報
【発明の開示】
【発明が解決しようとする課題】
【０００４】
ところで、安定器等が耐用寿命に達したことを使用者に告知する方法として、ランプを点滅させるといった方法が考えられるが、そのようにランプを用いる告知方法では、照明器具ではなく、ランプが耐用寿命に達したと使用者に誤解され易いという問題があった。
【０００５】
本発明は上記事情に鑑みて為されたものであり、その目的は、ランプが耐用寿命に達したと誤解されずに確実に耐用寿命に達したことを使用者に告知することができる照明器具を提供することにある。
【課題を解決するための手段】
【０００６】
請求項１の発明は、上記目的を達成するために、光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を告知する寿命告知手段とを備え、該寿命告知手段は、器具本体又は光制御部材に判別結果情報を表示することを特徴とする。
【０００７】
請求項２の発明は、請求項１の発明において、前記寿命告知手段は、ランプソケットに装着されるランプ以外の光源が発する光によって判別結果情報を表示することを特徴とする。
【０００８】
請求項３の発明は、請求項１又は２の発明において、前記寿命判別手段は、器具本体又は光制御部材に設けられ形状や特性が経時変化する寿命判別部材からなることを特徴とする。
【０００９】
請求項４の発明は、上記目的を達成するために、光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を告知する寿命告知手段とを備え、該寿命告知手段は、通常の使用時又はランプ交換時に使用者が目にする部分に設けられ、紫外線や熱によって形状や特性が経時変化する部材からなることを特徴とする。
【００１０】
請求項５の発明は、上記目的を達成するために、光源たるランプが装着されるランプソケットと、外部の電源からランプソケットを介してランプに供給する電力を調整してランプを安定点灯させる安定器と、ランプソケット並びに安定器を支持する器具本体と、反射や拡散あるいは屈折等によりランプの光を制御する光制御部材と、ランプソケット、安定器、器具本体、光制御部材の少なくとも何れか一つの構成部材が耐用寿命に達したか否かを判別する寿命判別手段と、寿命判別手段が耐用寿命に達したと判別したときに該判別結果の情報を音又は臭いで告知する寿命告知手段とを備えたことを特徴とする。
【発明の効果】
【００１１】
本発明によれば、ランプの光を使わずに耐用寿命に達したことを使用者に告知する寿命告知手段を備えているので、ランプが耐用寿命に達したと誤解されずに確実に耐用寿命に達したことを使用者に告知することができる。
【発明を実施するための最良の形態】
【００１２】
以下、環形の蛍光ランプを光源とする天井直付け型の照明器具に本発明の技術思想を適用した実施形態について図面を参照して詳細に説明する。但し、これに限定する主旨ではなく、他の形状の蛍光ランプや蛍光ランプ以外の放電灯若しくは白熱灯などを光源とする照明器具全般に本発明の技術思想が適用可能である。
【００１３】
（実施形態１）
本実施形態は、図１及び図２に示すように金属板を加工することで略円板状に形成され、引掛シーリングローゼット（図示せず）を用いて天井に配設される器具本体１と、器具本体１の下面に設けられて環形の蛍光ランプＬＡの口金が着脱自在に装着されるランプソケット２と、安定器３と、光制御部材であるグローブ４とを備えている。
【００１４】
安定器３は、蛍光ランプＬＡの始動及び点灯中ともに半導体素子による交流−交流（商用周波−高周波）変換を行って蛍光ランプＬＡを適正に点灯させる機能を有した蛍光灯電子安定器（ＪＩＳ  Ｃ  ８１１７参照）であって、半導体素子などの電子部品をプリント配線板（図示せず）に実装して構成され、器具本体１の中央部に設けられた引掛シーリングキャップ５に給電線を介して接続される。引掛シーリングキャップ５は、天井に配設される引掛シーリングボディとともに引掛シーリングローゼットを構成するものであって、引掛シーリングローゼットを介して商用交流電源ＡＣが安定器３に供給される。グローブ４は透光性を有する合成樹脂材料によって略椀状に形成され、器具本体１の下側に着脱自在に装着される。またグローブ４の内周面にはＬＣＤパネル７が表示面を外側に向けて取り付けられている。
【００１５】
また本実施形態は、ＬＣＤパネル７を駆動するＬＣＤ駆動部８と、商用交流電源ＡＣから直流電源を作成してＬＣＤパネル７やＬＣＤ駆動部８に動作電源を供給する電源部６と、マイクロコンピュータを主構成要素とし、ＬＣＤ駆動部８を制御して種々の文字や図形等をＬＣＤパネル７に表示させる機能等を有する制御部９とを備えており、これらは半導体素子などの電子部品をプリント配線板（図示せず）に実装して構成され、器具本体１に支持されている。
【００１６】
制御部９は、ランプソケット２、安定器３、器具本体１、グローブ４の少なくとも何れか一つの構成部材が耐用寿命に達したか否かを判別する寿命判別手段に相当し、例えば、商用交流電源ＡＣに接続された時点からの経過時間を内蔵したタイマでカウントすることで耐用寿命経過の判別を行い、さらに、ＬＣＤ駆動部８を制御してＬＣＤパネル７に経過時間を表示させるとともに、経過時間が予め設定されている耐用寿命時間に達したらその旨を報知するための文字や記号等をＬＣＤパネル７に表示させる。すなわち、本実施形態では制御部９、ＬＣＤパネル７、ＬＣＤ駆動部８が寿命告知手段に相当する。尚、安定器３が蛍光ランプＬＡのフィラメントの断線を検出する機能を有する場合、安定器３でフィラメントの断線が検出されたときにフィラメントが断線したことを報知するための文字等を制御部９がＬＣＤ駆動部８を制御してＬＣＤパネル７に表示させるようにしてもよい。
【００１７】
このように本実施形態によれば、蛍光ランプＬＡの光を使わずにＬＣＤパネル７に表示して耐用寿命に達したことを使用者に告知しているので、蛍光ランプＬＡが耐用寿命に達したと誤解されずに照明器具が耐用寿命に達したことを確実に使用者に告知することができる。尚、電源部６、ＬＣＤパネル７、ＬＣＤ駆動部８、制御部９の代わりに、グローブ４に取り付けられるＥＬ素子と、ＥＬ素子に電源を供給し且つ照明器具の耐用寿命と同程度の期間だけＥＬ素子を発光可能な容量を有した電池とをグローブ４に設け、耐用寿命に達するまでは電池でＥＬ素子を発光させ、電池の容量が無くなってＥＬ素子が消灯することで照明器具が耐用寿命に達したことを使用者に告知することも可能であり、この構成によれば大幅なコストダウンが図れるという利点がある。
【００１８】
（実施形態２）
本実施形態の基本構成は実施形態１と共通であるから、共通の構成要素には同一の符号を付して説明を省略し、本実施形態の特徴となる構成についてのみ説明する。
【００１９】
本実施形態は、照明器具が耐用寿命に達したことを使用者に告知する手段として、ＬＣＤパネル７に代えて文字盤１０と表示ランプ１１とを備えた点に特徴がある。図３に示すように、文字盤１０は透明な合成樹脂材料で帯板状に形成され、照明器具が耐用寿命に達したことを報知するための文字、例えば、「器具交換時期」というような文字が印刷等で記されてなり、文字が記された面をグローブ４の中央部分に略正対させる形で器具本体１の略中央部に配置される。器具本体１の中央部分には、豆球等からなる表示ランプ１１を装着するランプソケット１２が設けられ、ランプソケット１２に装着された表示ランプ１１が文字盤１０を挟んでグローブ４の中央部分に対向する。ここで、図示は省略するが、ランプソケット１２と商用交流電源ＡＣとの間には寿命判別回路が設けられている。寿命判別回路は、引掛シーリングローゼットを介して商用交流電源ＡＣが供給されている期間をカウントするカウンタと、ランプソケット１２への給電路に挿入され、カウンタのカウント数が予め設定されている耐用寿命に達したら接点がオンするリレーとを有する。
【００２０】
而して、照明器具が使用開始されると寿命判別回路のカウンタが使用期間をカウントし、カウント数が耐用寿命に達したらリレーの接点がオンして商用交流電源ＡＣからランプソケット１２に給電されて表示ランプ１１が点灯する。表示ランプ１１の光は透明な文字盤１０を透過してグローブ４の中央部に照射されるが、文字盤１０に記された文字の部分では光が透過しないため、グローブ４の中央部に文字盤１０に記された文字（「器具交換時期」）が影となって表示され、照明器具が耐用寿命に達したことを使用者に告知することができる。
【００２１】
（実施形態３）
本実施形態の基本構成は実施形態２と共通であるから、共通の構成要素には同一の符号を付して説明を省略し、本実施形態の特徴となる構成についてのみ説明する。
【００２２】
図４に示すように器具本体１の中央部に常夜電球１３を装着するランプソケット１４が設けられ、棒状の回動脚１５の一端がそれぞれランプソケット１４の側面に枢支されるとともに各回動脚１５の他端に実施形態２と同様の文字盤１０が固定されており、一対の回動脚１５によって文字盤１０がランプソケット１４に回動自在に支持されている。
【００２３】
また器具本体１の中央部には文字盤１０をラッチするラッチ部１６が設けられている。ラッチ部１６は、引掛シーリングローゼットを介して商用交流電源ＡＣが供給されている期間をカウントするカウンタと、文字盤１０の端部に設けられた鉄片のような磁性体（図示せず）を磁気吸引力でラッチする電磁石とを有し、カウンタのカウント数が予め設定されている耐用寿命に達するまで電磁石を励磁し、カウント数が耐用寿命に達したら電磁石を励磁しなくなるように構成されている。
【００２４】
而して、照明器具が使用開始されると寿命判別回路のカウンタが使用期間をカウントし、カウント数が耐用寿命に達したら電磁石が励磁されなくなって文字盤１０のラッチが解除される。すると、重力の作用によって回動脚１５が図４における反時計回りに回動し、常夜電球１３とグローブ４との間に文字盤１０が挿入され、常夜電球１３が点灯したときにグローブ４の中央部に文字盤１０に記された文字（「器具交換時期」）が影となって表示され、照明器具が耐用寿命に達したことを使用者に告知することができる。つまり、実施形態２では文字盤１０に光を照射するためだけに表示ランプ１１を設ける必要があるが、本実施形態では常夜電球１３を利用することで別途表示ランプ１１を設ける必要が無くなるという利点がある。
【００２５】
（実施形態４）
本実施形態の基本構成は実施形態２と共通であるから、共通の構成要素には同一の符号を付して説明を省略し、本実施形態の特徴となる構成についてのみ説明する。
【００２６】
図５に示すように器具本体１の端部に紫外線ランプ１７を装着するランプソケット１８が設けられ、紫外線ランプ１７と近接して対向するグローブ４の側面には、紫外線を可視光に変換する蛍光物質を含む塗料で照明器具が耐用寿命に達したことを報知するための文字、例えば、「器具交換時期」というような文字が印刷されている。尚、紫外線ランプ１７を挟んで文字が印刷された部位と対向する位置には蛍光ランプＬＡから放射される紫外線を遮るための遮光板１９が器具本体１より突設されている。ここで、図示は省略するが、ランプソケット１８と商用交流電源ＡＣとの間には寿命判別回路が設けられている。寿命判別回路は、引掛シーリングローゼットを介して商用交流電源ＡＣが供給されている期間をカウントするカウンタと、ランプソケット１８への給電路に挿入され、カウンタのカウント数が予め設定されている耐用寿命に達したら接点がオンするリレーとを有する。
【００２７】
而して、照明器具が使用開始されると寿命判別回路のカウンタが使用期間をカウントし、カウント数が耐用寿命に達したらリレーの接点がオンして商用交流電源ＡＣからランプソケット１８に給電されて紫外線ランプ１７が点灯する。紫外線ランプ１７から照射される紫外線がグローブ４の端部に印刷されている塗料で可視光に変換されて文字を発光させるため、照明器具が耐用寿命に達したことを使用者に告知することができる。つまり、実施形態２，３では文字盤１０を設ける必要があるが、本実施形態ではグローブ４に印刷した文字を利用することで別途文字盤１０を設ける必要が無くなるという利点がある。
【００２８】
（実施形態５）
本実施形態の基本構成は実施形態１と共通であるから、共通の構成要素には同一の符号を付して説明を省略し、本実施形態の特徴となる構成についてのみ説明する。
【００２９】
本実施形態は、図６に示すようにグローブ４を形成する合成樹脂材料に比較して紫外線による劣化（変色）が生じやすい合成樹脂材料からなる文字部２０がグローブ４の端部にインサート成形されている点に特徴がある。文字部２０は、照明器具が耐用寿命に達したことを報知するための文字、例えば、「器具交換」というような文字の形状に形成されている。
【００３０】
而して、蛍光ランプＬＡから放射される紫外線によってグローブ４並びに文字部２０が劣化するが、グローブ４に比較して文字部２０の劣化が先に進行し、文字部２０が変色することで照明器具が耐用寿命に達したことを報知するための文字（「器具交換」）が視認可能となるので、照明器具が耐用寿命に達したことを使用者に告知することができる。ここで、文字が視認可能となるまでの経過時間は文字部２０を形成する合成樹脂材料の種類や表面処理（コーティング処理）等によって調整可能である。尚、文字部２０をグローブ４ではなくグローブ４で覆われる器具本体１の表面に設ければ、通常使用時に文字部２０が目に触れることが無いから外観が損なわれず、蛍光ランプＬＡの交換時にグローブ４を外せば文字部２０を視認することができる。
【００３１】
ところで、照明器具が耐用寿命に達したことを報知するための文字の形状、若しくは当該文字の形状を囲む周辺部分に酸化チタンなどの光触媒を塗布して汚れの付着を阻止することにより、汚れが付着した部分と付着していない部分とでグローブ４を透過する光量に差を生じさせて文字を表示させるようにしてもよい。あるいは、グローブ４や器具本体１に紫外線強度積算計を取り付けておき、その計測値で照明器具が耐用寿命に達したことを報知したり、若しくは計測値が所定の閾値に達したらブザー等を鳴らすことで報知してもよい。
【００３２】
（実施形態６）
本実施形態の基本構成は実施形態１と共通であるから、共通の構成要素には同一の符号を付して説明を省略し、本実施形態の特徴となる構成についてのみ説明する。
【００３３】
本実施形態は、経年劣化により一部が破損することで照明器具が耐用寿命に達したことを判別し且つ使用者に告知する手段を備えた点に特徴がある。この手段は、図７に示すようにグローブ４の一部に紫外線による劣化（強度低下）が他の部分よりも進行しやすい表示部４ａが一体に形成され、グローブ４の内側から表示部４ａに当接する当接部材２１と、一端が器具本体１に固定され他端が当接部材２１に取り付けられたコイルばね２２とを有し、コイルばね２２のばね力で当接部材２１が下方に押圧されるように構成されている。
【００３４】
而して、蛍光ランプＬＡから放射される紫外線で表示部４ａが劣化して強度が低下し、やがてコイルばね２２のばね力に抗しきれなくなって表示部４ａが破損するので、表示部４ａの破損によって照明器具が耐用寿命に達したことを使用者に告知することができる。ここで、表示部４ａが破損するまでの期間は表示部４ａを形成する合成樹脂材料の種類やコイルばね２２のばね力等によって調整可能である。尚、表示部４ａが破損したときに当接部材２１に記された文字を視認可能にして耐用寿命に達したことを報知するようにしてもよい。
【００３５】
ところで、図８に示すように器具本体１の下方に薄肉部２３ａで片持ち支持された表示片２３ｂを有する樹脂成形品２３を配設し、一端が器具本体１に固定されたコイルばね２２の他端で表示片２３ｂを押圧し、蛍光ランプＬＡから放射される紫外線で薄肉部２３ａが劣化して強度が低下し、やがてコイルばね２２のばね力に抗しきれなくなって薄肉部２３ａが破損して表示片２３ｂが落下することにより、照明器具が耐用寿命に達したことを使用者に告知するようにしてもよい。この場合、通常使用時には薄肉部２３ａや表示片２３ｂがグローブ４で覆われて目に触れることが無いから、外観が損なわれず、蛍光ランプＬＡの交換時にグローブ４を外せば表示片２３ｂが落下していることで使用者に告知することができる。
【００３６】
（実施形態７）
本実施形態の基本構成は実施形態１と共通であるから、共通の構成要素には同一の符号を付して説明を省略し、本実施形態の特徴となる構成についてのみ説明する。
【００３７】
図９に示すようにグローブ４には装飾や強度確保のために環状のカバー３０が全周に渡って取り付けられている。カバー３０は合成樹脂成形品からなり、内周部分には法線方向がグローブ４表面の法線方向と略直交する縁部３０ａが設けられ、この縁部３０ａには紫外線又は熱によって著しく変色する材料がコーティングされている。
【００３８】
而して、蛍光ランプＬＡから放射される紫外線で縁部３０ａのコーティング材料が変色することによって照明器具が耐用寿命に達したことを使用者に告知することができる。ここで、縁部３０ａが変色するまでの期間はコーティング材料の種類等によって調整可能である。あるいは、合成樹脂成形品からなり、蛍光ランプＬＡから放射される紫外線が当たりにくい箇所と当たりやすい箇所を有する表示部材を器具本体１の下面に設け、両箇所を異なる色で着色しておき、紫外線が当たりやすい箇所の色が経年劣化で変色して紫外線が当たりにくい箇所と同じ色となることで照明器具が耐用寿命に達したことを使用者に告知するようにしてもよい。
【００３９】
（実施形態８）
本実施形態の基本構成は実施形態１と共通であるから、共通の構成要素には同一の符号を付して説明を省略し、本実施形態の特徴となる構成についてのみ説明する。
【００４０】
図１０に示すように器具本体１に対してランプソケット２を固定している固定部２ａを合成樹脂材料で薄板状に形成し、固定部２ａが経年劣化して反りが発生したときにランプソケット２に蛍光ランプＬＡが正常に装着できない、あるいは蛍光ランプＬＡをランプソケット２から外すことができないように構成されている。
【００４１】
而して、蛍光ランプＬＡから放射される紫外線等の影響で固定部２ａが経年劣化して反りが発生し、ランプソケット２がずれることで蛍光ランプＬＡが正常に装着できなくなる、若しくは蛍光ランプＬＡをランプソケット２から取り外すことができなくなるので、これをもって照明器具が耐用寿命に達したことを使用者に告知することができる。しかも、使用者に対して蛍光ランプＬＡの交換作業を行うたびに固定部２ａの反りの度合いを認識させることができる。
【００４２】
（実施形態９）
本実施形態の基本構成は実施形態１と共通であるから、共通の構成要素には同一の符号を付して説明を省略し、本実施形態の特徴となる構成についてのみ説明する。
【００４３】
本実施形態は、照明器具が耐用寿命に達したことを使用者に告知する手段として、ＬＣＤパネル７に代えてスピーカ３１を備えた点に特徴がある。図１１に示すように、器具本体１の天面にスピーカ３１が配設されている。また、図示は省略するが、引掛シーリングローゼットを介して商用交流電源ＡＣが供給されている期間をカウントするカウンタと、カウンタのカウント数が予め設定されている耐用寿命に達したらスピーカ３１を駆動して報知音あるいは報知メッセージを鳴動させるスピーカ駆動回路とが器具本体１に設けられている。
【００４４】
而して、照明器具が使用開始されるとカウンタが使用期間をカウントし、カウント数が耐用寿命に達したらスピーカ駆動回路がスピーカ３１を駆動して報知音あるいは報知メッセージを鳴動させるため、照明器具が耐用寿命に達したことを使用者に音で告知することができる。尚、本実施形態を他の実施形態と組み合わせ、例えば、ランプソケット２に蛍光ランプＬＡが装着できなくなったときにそれが故障ではなく照明器具が耐用寿命に達したことが原因である旨のメッセージをスピーカ３１から鳴動させるようにしてもよい。
【００４５】
（実施形態１０）
本実施形態の基本構成は実施形態１と共通であるから、共通の構成要素には同一の符号を付して説明を省略し、本実施形態の特徴となる構成についてのみ説明する。
【００４６】
本実施形態は、照明器具が耐用寿命に達したことを臭いで使用者に告知する手段を備えた点に特徴がある。図１２に示すように、グローブ４の内側に芳香剤が詰められたボンベ３２が取り付けられ、ボンベ３２内で揮発した芳香剤がボンベ３２のキャップ３２ａを通してグローブ４内に放出される。このキャップ３２ａは経年劣化によって気体の通過量が増加するものであって、グローブ４内に放出される芳香剤の量が経時的に増加することになる。
【００４７】
また、器具本体１にはグローブ４内に放出された芳香剤の臭いを消臭する消臭装置３３が取り付けられている。この消臭装置３３は従来周知の静電霧化装置で構成され、水を収容した水タンクと、水タンク内の水を毛細管現象で吸い上げて先端の針状霧化部に導く吸水体と、吸水体の針状霧化部に対向する対向電極と、水タンク内の水に印加電極を介して電圧を印加する高圧発生回路とからなり、対向電極との間の放電箇所となる吸水体の針状霧化部に存在する水にレイリー分裂を起こさせて霧化することでミスト（水分子）を発生させるものである。消臭装置３３で発生させたミストは粒子径がナノメータサイズのきわめて微小なものであり、このようなミストは拡散性が非常に高いほか、活性種を含んで脱臭機能を有している。
【００４８】
また図示は省略するが、消臭装置３３と引掛シーリングボディとの間には寿命判別回路が設けられている。寿命判別回路は、引掛シーリングローゼットを介して商用交流電源ＡＣが供給されている期間をカウントするカウンタと、消臭装置３３への給電路に挿入され、カウンタのカウント数が予め設定されている耐用寿命に達したら接点がオフするリレーとを有する。
【００４９】
而して、照明器具が使用開始されると寿命判別回路のカウンタが使用期間をカウントし、カウント数が耐用寿命に達するまでは消臭装置３３に給電されてボンベ３１から放出された芳香剤が消臭されるためにグローブ４の外に臭いが漏れることがない。そして、時間が経過してカウント数が耐用寿命に達したらリレーの接点がオフし、商用交流電源ＡＣから消臭装置３３への給電を停止するため、芳香剤がグローブ４の外に漏れて照明器具が耐用寿命に達したことを使用者に臭いで告知することができる。尚、グローブ４には芳香剤を外に放出するための通気孔４ａが設けられている。
【００５０】
ここで、芳香剤を詰めたボンベ３１をグローブ４内に配置する代わりに、オゾン発生器を器具本体１に取り付け、消臭装置３３で発生したミストによってオゾンを還元し、照明器具が耐用寿命に達したときに消臭装置３３を停止させることでオゾン臭により使用者に告知するようにしても構わない。
【図面の簡単な説明】
【００５１】
【図１】本発明の実施形態１を示す一部破断した側面図である。
【図２】同上の回路ブロック図である。
【図３】本発明の実施形態２を示す一部破断した側面図である。
【図４】本発明の実施形態３を示す一部破断した側面図である。
【図５】本発明の実施形態４を示す一部破断した側面図である。
【図６】本発明の実施形態５を示し、（ａ）は一部破断した側面図、（ｂ）は文字部の平面図である。
【図７】本発明の実施形態６を示す半断面図である。
【図８】同上の要部断面図である。
【図９】本発明の実施形態７を示す半断面図である。
【図１０】本発明の実施形態８を示し、（ａ）は半断面図、（ｂ）はランプソケットの側面図である。
【図１１】本発明の実施形態９を示す半断面図である。
【図１２】本発明の実施形態１０を示す半断面図である。
【符号の説明】
【００５２】
１  器具本体
２  ランプソケット
４  グローブ
６  電源部
７  ＬＣＤパネル
８  ＬＣＤ駆動部
９  制御部
【図１】
2006236713.tif 000003
【図２】
2006236713.tif 000004
【図３】
2006236713.tif 000005
【図４】
2006236713.tif 000006
【図５】
2006236713.tif 000007
【図６】
2006236713.tif 000008
【図７】
2006236713.tif 000009
【図８】
2006236713.tif 000010
【図９】
2006236713.tif 000011
【図１０】
2006236713.tif 000012
【図１１】
2006236713.tif 000013
【図１２】
2006236713.tif 000014